(57)【特許請求の範囲】
【請求項１】
両側板の間に棚板を設けると共に、両側面板の上端部中央に当て板を有する書架において、前記棚板の上面における前後両端部に左右方向を向く凹溝を設け、該凹溝に、書籍の幅方向の下端縁を受支し得るとともに、上面に滑り止め手段を有する支持部材を嵌合し、前記滑り止め手段の上端を、棚板の上面と同等又はそれよりも下位となるようにしたことを特徴とする書架。
【請求項２】
滑り止め手段を、凹条、多数の凹凸条、多数の小突起、ゴム板のいずれかよりなるものとした請求項１に記載の書架。
【発明の詳細な説明】
【０００１】
【発明の属する技術分野】
本発明は、棚板の上面に表紙を前方に向けて載置した書籍が、前方に滑り落ちるのを防止し得るようにした書架に関する。
【０００２】
【従来の技術】
左右の側板間に上下複数段の棚板を横架してなる通常の書架においては、棚板上に書籍の背表紙を前方に向けて載置するようになっているのが一般的である。
【０００３】
【発明が解決しようとする課題】
書籍の内容等をアピールするためには、表紙を前方に向けて、棚板の上面と背板等に立て掛けて載置するのが効果的である。
【０００４】
しかし、通常の書架に表紙を前方に向けて載置すると、書籍が、書架の僅かな揺れでも棚板の上面から滑り落ちる問題がある。
【０００５】
この問題を解決するためには、棚板の上面に、滑り止め用の上向きのストッパ片を設けることも考えられたが、このようにすると、通常の背表紙を前方に向けた載置形態とする際に、ストッパ片が邪魔になる。
【０００６】
本発明は、上記問題点を解決するためになされたもので、棚板の上面に簡単な滑り止め手段を設けることにより、書籍を表紙を前方に向けて載置可能とするとともに、背表紙を前方に向けた通常の載置形態も支障なく行うことができるようにした書架を提供することを目的としている。
【０００７】
【課題を解決するための手段】
上記目的を達成するために、本発明の書架は、両側板の間に棚板を設けると共に、両側面板の上端部中央に当て板を有する書架において、前記棚板の上面における前後両端部に左右方向を向く凹溝を設け、該凹溝に、書籍の幅方向の下端縁を受支し得るとともに、上面に滑り止め手段を有する支持部材を嵌合し、前記滑り止め手段の上端を、棚板の上面と同等又はそれよりも下位となるようにしたことを特徴としている。
上記構成の書架によると、書籍の幅方向の下端縁を支持部材の上面により支持した際に、滑り止め手段により係止されるため、表紙を外方に向けて載置した書籍が棚板より滑り落ちることなく前後両面から収納でき、背表紙を外方に向けた通常の載置形態も採り得ることができる。
【０００８】
上記書架において、滑り止め手段を、凹条、多数の凹凸条、多数の小突起、ゴム板のいずれかよりなるものとするのが好ましい。
このようにすると、いずれの滑り止め手段も、比較的簡単で安価に形成することができ、かつ滑り止めの効果も大きい。
【００１０】
【発明の実施の形態】
以下、本発明の実施形態を図面に基づいて説明する。図１は、本発明の書架の実施形態を示す斜視図、図２は、図１のII−II線の拡大縦断側面図を示すもので、書架１は、左右の側面板２、２と中間側面板３との間の前後方向の中間部に、前後２枚の背板４、４を固着し、各背板４の前方及び後方の側面板２と中間側面板３との間に、若干上向き傾斜状に複数の棚板５を取付けることにより、書籍Ｂを前後両面から収納し得るようになっている。
【００１１】
両側面板２と中間側面板３との間の上部には、天板を兼ねる幅広の棚板６、６が、その下面の中央部を前後の背板４の上端と当接するようにして取付けられている。また、両側面板２と中間側面板３との間の上端部中央には、細長平板状の背当て板７、７が取付けられている。
【００１２】
上部の両棚板６の上面における前後両端部に形成した左右方向を向く凹溝８には、表紙を外方、すなわち前方及び後方に向けて載置した書籍Ｂの下端を支持し、棚板６より滑り落ちるのを防止する支持部材９が嵌合されている。
【００１３】
支持部材９は、図３に拡大して示すように、上下寸法が凹溝８の深さとほぼ同等をなし、上面には、底面を平坦面としたＶ字状に拡開する滑り止め手段としての凹条１０が、左右方向に全長に亘って形成されている。
【００１４】
支持部材９の下半部には、前後両面を鋸歯状面とした前後方向に弾性変形可能な１対の足片１１、１１を有し、両足片１１を若干内向きに撓ませながら凹溝８に嵌合することにより、強力な抜け止めがなされる。
【００１５】
支持部材９は、押し出し成形が容易な、例えばアルミニウム又はその合金、合成樹脂等により形成されている。
【００１６】
図２に示すように、書籍Ｂの背面を背当て板７に斜めに立て掛け、裏面のハードカバーの下端を、図３に示すように支持部材９の凹条１０の前方の傾斜面に当接させることにより、書籍Ｂの下端が係止され、棚板６より滑り落ちるのが防止される。なお、上記実施形態において、凹条１０の断面形状は円弧状であってもよい。
【００１７】
上記実施形態においては、支持部材９は棚板６の上面と同一面であるため、図２に示すように、書籍Ｂの背表紙を前方に向けた通常の載置形態も支障なく採ることができる。
【００１８】
図４ないし図６は、支持部材の変形例を示している。図４に示す支持部材１２は、上記支持部材９とほぼ同形とした上面に、鋸歯状断面の凹凸条１３を、左右方向に多数形成したもので、その摩擦力で書籍の滑り止めを図っている。
【００１９】
図５に示す支持部材１４は、上記凹凸条１３の代わりに、上面に多数の小突起１５を突設し、その摩擦力で書籍の滑り止めを図るようにしてある。
【００２０】
図６に示す支持部材１６は、上面に摩擦係数の大きいゴム板１７を粘着し、その摩擦力で書籍の滑り止めを図るようにしてある。
【００２１】
なお、上記支持部材１２、１４、１６における凹凸条１３と小突起１５の頂端、及びゴム板１７の上面は、棚板６の上面より突出しないようにしてあり、上述と同様、背表紙を前方に向けた通常の載置形態も採り得るようになっている。
【００２２】
上記実施形態では、最上段の棚板６に支持部材９、１２、１４、１６を設けた例を示しているが、下段の棚板５にも支持部材を設けてもよいことは勿論である。また、本発明は、背板が垂直で、かつ各段の棚板が水平になっている直立型の書架にも適用することができる。
【００２３】
上記支持部材は、足片１１を有するものとしたが、足片１１のない矩形断面の支持部材を凹溝８に単に圧入して固定するようにしてもよい。
【００２４】
【発明の効果】
本発明によれば、次のような効果を奏することができる。
【００２５】
（ａ）請求項１に記載の発明によれば、書籍の幅方向の下端縁を支持部材の上面により支持した際に、滑り止め手段により係止されるため、表紙を外方に向けて載置した書籍が棚板より滑り落ちることなく前後両面から収納でき、背表紙を外方に向けた通常の載置形態も採り得ることができる。
【００２６】
（ｂ）請求項２に記載の発明によれば、いずれの滑り止め手段によっても、効果的に書籍の滑り止めを図ることができるとともに、いずれも比較的簡単で安価に形成することができる。
【図面の簡単な説明】
【図１】本発明の書架の一実施形態を示す斜視図である。
【図２】図１のII−II線の要部の拡大縦断側面図である。
【図３】支持部材の拡大縦断面図である。
【図４】支持部材の変形例を示す拡大縦断面図である。
【図５】同じく、支持部材の他の変形例を示す斜視図である。
【図６】同じく、支持部材の更なる変形例を示す拡大縦断面図である。
【符号の説明】
１                      書架
２                      側面板
３                      中間側面板
４                      背板（当て板）
５、６                  棚板
７                      背当て板（当て板）
８                      凹溝
９、１２、１４、１６    支持部材
１０                    凹条
１１                    足片
１３                    凹凸条
１５                    小突起
１７                    ゴム板
Ｂ                      書籍
【図１】
0004738637.tif 000002
【図２】
0004738637.tif 000003
【図３】
0004738637.tif 000004
【図４】
0004738637.tif 000005
【図５】
0004738637.tif 000006
【図６】
0004738637.tif 000007